(57)【要約】【課題】外枠の軽量化を図ると共に強度が確保され、リサイクル可能な遊技機を安価で得る。【解決手段】外枠を成形する金型に、金型から外枠１２を離型させるためのエジェクターピンを配設すると共に、エジェクターピンが面接可能な略円筒状の受け部１１６を外枠１２に設けることで、受け部１１６が設けられた部分は肉厚となるため、受け部１１６近傍の強化を図ることができる。このため、受け部１１６を外枠１２の角部及び係止部８４に設けることで、外枠１２の角部及び係止部８４を強化することができる。このようにして、外枠１２を強化することで、一体成形される外枠１２の肉厚を薄肉にしても、外枠１２を補強するための補強部材を別途設ける必要はない。このため、部品点数を削減することができる。また、リサイクルにおいても、分解等の手間が要らない。【選択図】  図４
2004188068.tif 000002
【特許請求の範囲】
【請求項１】
略矩形状の外枠と、前記外枠に回動可能に軸支されると共に、前面側に遊技盤が設けられ裏面側に電子部品が配設された内枠と、を備えた遊技機において、
前記外枠が金型で一体成形され、前記金型から外枠を離型させるエジェクターピンが面接可能な受け部が前記外枠の少なくとも角部に設けられたことを特徴とする遊技機。
【請求項２】
前記外枠の内壁面から補強リブが立設されたことを特徴とする請求項１に記載の遊技機。
【請求項３】
前記受け部と前記補強リブとが連設していることを特徴とする請求項２に記載の遊技機。
【請求項４】
前記外枠に設けられ前記内枠を係止する係止部材に、前記受け部及び前記補強リブを連設させたことを特徴とする請求項３に記載の遊技機。
【請求項５】
前記補強リブが前記外枠の内壁面の全周に渡って形成されたことを特徴とする請求項２〜４に記載の遊技機。
【請求項６】
前記補強リブの高さを前記内枠と前記外枠との間に生じる隙間を埋める大きさとしたことを特徴とする請求項５に記載の遊技機。
【発明の詳細な説明】
【０００１】
【発明の属する技術分野】
本発明は、パチンコ機などの遊技機に関する。
【０００２】
【従来の技術】
パチンコ機には、パチンコホール等の遊技場に設けられた島設備に、釘打ちして固定する木製の外枠が備えられており、この外枠には遊技盤等が固定された内枠が回動可能に軸支されるようになっている。
【０００３】
一方、近年、自然環境保護等の観点から、外枠を木材以外の材質に変更すると共に、リサイクルして再利用できるようにすることが提案されている。
【０００４】
このため、特許文献１では、外枠を上側枠部材と、下側枠部材と、右側枠部材と、左側枠部材と、で構成し、各枠部材を薄肉の金属板材で形成しており、これらの枠部材を、金属製の連結部によって互いに連結することで、組み立てた外枠の角部を補強している。さらに、右側枠部材及び左側枠部材の長手方向に沿った中央部において、金属製の補強部材を固定し、反りや撓みを起因とした変形を防止している。
【０００５】
このように、連結部或いは補強部材を用いることで外枠を強化しているが、枠組みをしなければならないため、面倒であり、作業工数が増大してしまう。このため、外枠を鉄やアルミニウム等の金属製に変更し、金型で一体成形することが考えられるが、木枠に比べ金属は比重が大きいため、外枠の軽量化と強化とが相反する関係となり、軽量化を優先させると、外枠として充分な強度を確保することができない。
【０００６】
【特許文献１】
特開２００２−２３３６４１公報  （第５−６頁、第１図）
【０００７】
【発明が解決しようとする課題】
本発明は上記事実を考慮して、外枠の軽量化を図ると共に強度が確保され、リサイクル可能な遊技機を安価で提供することを課題とする。
【０００８】
【課題を解決するための手段】
請求項１に記載の発明は、略矩形状の外枠と、前記外枠に回動可能に軸支されると共に、前面側に遊技盤が設けられ裏面側に電子部品が配設された内枠と、を備えた遊技機において、前記外枠が金型で一体成形され、前記金型から外枠を離型させるエジェクターピンが面接可能な受け部が前記外枠の少なくとも角部に設けられたことを特徴としている。
【０００９】
請求項１に記載の発明では、外枠を金属で一体成形すると共に、外枠を成形する金型に、金型から外枠を離型させるエジェクターピンを配設している。このため、外枠にはエジェクターピンが面接可能な受け部が必要となるが、この受け部を外枠の少なくとも角部に設けている。
【００１０】
金型の寿命を長くするため、エジェクターピンはできるだけ太い方が良い。このため、外枠にエジェクターピンが面接可能な受け部を別途設けることで、受け部が設けられた部分は肉厚となるため、受け部近傍の強化を図ることができる。
【００１１】
従って、受け部を外枠の角部に設けることで、外枠の角部を強化することができる。このため、外枠の周壁を薄肉にしても、木枠と略同等の強度を保持することができ、外枠の軽量化を図ることができる。また、角部以外にも外枠の長手方向の内壁面に受け部を設けることで、反りや撓みを防止することができ、寸法精度が高くなる。
【００１２】
このように、外枠を強化することで、外枠の肉厚を薄肉にしても、外枠を補強するための補強部材を別途設ける必要はない。このため、枠組みするための組立て作業が不要となり、作業工数が低減されると共に、部品点数を削減することができる。従って、コストダウンを図ることができる。また、リサイクルにおいても、分解等の手間が要らないため、素材（金属）へのリサイクル性も良好になる。
【００１３】
また、外枠に複数の受け部を設けることで、金型からの離型時に外枠を押圧する面積が増大するため、外枠の離型性が良くなると共に、無理に離型させることによる変形等の恐れが無い。
【００１４】
請求項２に記載の発明では、外枠の内壁面から補強リブを立設させている。このように、外枠の内壁面に補強リブを立設させることで、外枠をさらに強化することができる。また、外枠の内壁面に補強リブを立設させることで、外枠の反りや撓みを防止することができる。
【００１５】
請求項３に記載の発明では、受け部と補強リブとを連設させている。これにより、受け部周りを補強することができ、外枠の角部をさらに強化することができる。このため、外枠の寿命が長くなる。
【００１６】
請求項４に記載の発明では、外枠に設けられ内枠と係止する係止部材に、受け部及び補強リブを連設させている。係止部材には繰返し応力が掛かるため、受け部及び補強リブを係止部材に連設させることで、係止部材を強化させ、破損等を防止することができる。
【００１７】
請求項５に記載の発明では、補強リブを外枠の内壁面の全周に渡って設けている。これにより、さらに外枠の強化を図ることができる。
【００１８】
請求項６に記載の発明では、補強リブの高さを内枠と外枠との間に生じる隙間を埋める大きさとしている。これにより、内枠と外枠との間に生じる隙間は補強リブによって塞がれ、該隙間からピアノ線などの不正具を侵入させても、補強リブに当接するため、機器内部への侵入が防げられ、不正行為を防止することができる。
【００１９】
【発明の実施の形態】
以下、図面を参照して本発明の実施の形態を説明する。
【００２０】
図１及び図２には、本発明の実施の形態に係るパチンコ機の表面側が示されており、図３には、パチンコ機の裏面側が示されている。
【００２１】
図１及び図２に示すように、パチンコ機１０には、矩形額縁状の外枠１２が備えられており、パチンコ機１０の外郭部を構成し、パチンコホールのパチンコ機隣接設置部である所謂「島」（図示省略）に固定される。
【００２２】
外枠１２の左側端部には、図４（なお、図４は外枠１２の裏面側からの斜視図である）に示すように、ヒンジ部７０、７２が設けられており、外枠１２の右側端部には、鍵状の一対の係止部８４が外枠１２と一体に形成されている。
【００２３】
一方、図１及び図３に示すように、内枠１４の左側端部（図３では、内枠１４の右側端部）の上下には、ヒンジ板７８、８０が固定されている。このヒンジ板７８、８０がヒンジ部７０、７２に回転可能に軸支され、これにより、外枠１２に対して内枠１４が開閉可能となる。
【００２４】
また、内枠１４の自由端側には、一対のフック８２が固定されており、内枠１４が閉止されるとき、スライダー装置２３によって、フック８２が下方へ回動し、内枠１４が閉止されると、フック８２が元の位置に戻ると共に、フック８２に形成された溝部８２Ａが係止部８４に係止され、内枠１４が外枠１２に対して固定される。
【００２５】
さらに、内枠１４の前面上部には、ガラス枠２０が配置されており、ガラス枠２０の左側端部が内枠１４に軸支され、内枠１４に対して開閉可能に取付けられている。ここで、ガラス枠２０には、ガラスフレーム１８が備えられており、このガラスフレーム１８内にガラス板１６が装着されている。また、ガラス枠２０と内枠１４とは、内枠１４の右側端部に設けられたシリンダ錠２２により、ガラス枠２０が閉止された状態で施錠されるようになっている。
【００２６】
また、内枠１４の前面下部には、遊技者側へ突出した球皿部２４を備えた一体皿２６が設けられており、一体皿２６の左側端部が内枠１４に軸支され、内枠１４に対して開閉可能に取付けられている。
【００２７】
この一体皿２６の前面の上部右寄りには、球排出口２７が設けられており、貸し球や賞球が排出される。球排出口２７から排出された貸し球や賞球は、球皿部２４に貯留されると共に、球皿部２４の下流側に設けられた誘導通路２４Ａにより一列に整列されて打球発射装置２５（図３参照）へ誘導される。
【００２８】
また、一体皿２６の前面には、左側下部に灰皿２８が配置され、右側下部には打球発射装置２５から発射する遊技球の飛距離を調整するための発射ハンドル３０が設けられている。
【００２９】
さらに、一体皿２６の上部には、遊技盤３２が取り付けられており、ガラス板１６によって覆われるようになっている。この遊技盤３２は、ベニヤ板３３の表面に樹脂材料で形成されたシート状のセル３４が貼着されて形成されており、盤面３２Ａには、外バンド３６及び内バンド３７とレール飾り３８、３９とによって囲まれた略円形状の遊技領域４０が設けられている。
【００３０】
この遊技領域４０内に、背景画像や各種キャラクター画像等を含む装飾画（図示省略）が印刷されている。また、遊技領域４０には、特別図柄表示装置４２や大入賞口（変動入賞装置）４４等の役物、始動口４６や入賞口４８、風車５０等の遊技部品、左右側端部に配置されたサイド飾り５２Ａ、５２Ｂが取り付けられており、最下位置にアウト口５４が配置されている。
【００３１】
さらに、遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。
【００３２】
また、図２に示すように、パチンコ機１０の正面には、ガラス枠２０の前面に、賞球表示灯や完了表示灯等の機能を有する複数の表示灯６２及び賞球払出エラー表示灯６３Ａや払出状態エラー表示灯６３Ｂがガラス板１６（図１に示す遊技盤３２の遊技領域４０）を取り囲むように配列されており、左上隅近傍と右側端上部に、遊技の効果音を発生するスピーカー６４、６６が配置されている。
【００３３】
一方、図３に示すように、内枠１４に取付けられた遊技盤３２の裏面には、各種機構部品や電気部品等を搭載した機構枠体としての裏セット８６が取り付けられている。ここで、裏セット８６の構成について概略説明する。
【００３４】
裏セット８６の実装スペース１５には、主基板１０２及び図柄制御基板１０４が設けられており、主基板１０２及び図柄制御基板１０４の周りには、賞球払出機構８８が設けられている。この賞球払出機構８８には上タンク９０と下タンク９２とで構成されたタンクセット９４が備えられており、内枠１４裏面の上部左側に配置されている。
【００３５】
上タンク９０と下タンク９２とは、互いに連通しており、ホールに設置された島設備から供給された遊技球は一端、上タンク９０で貯球される。上タンク９０から下タンク９２へ移動した遊技球は、下タンク９２内で整列され、球詰まりしないようにして下タンク９２の下流側に配置された樋９６へ案内される。樋９６には遊技球が貯溜可能となっており、樋９６の下端部には賞球払出装置９８が配設されている。
【００３６】
一方、裏セット８６の下部には、払出制御基板１００が配設されており、賞球払出装置９８の通常の排出動作（賞球や貸球の排出動作）を制御している。遊技中に、パチンコ球が図１に示す遊技盤３２に設けられた入賞口４８に入賞すると、図示しない入賞球センサから出力される入賞球検出信号に基づいて、払出制御基板１００に配設された払出制御回路（図示省略）へ信号が送信され、これにより、賞球払出装置９８が駆動し、入賞価値に応じた所定数のパチンコ球（賞球）が排出される。
【００３７】
ここで、賞球払出装置９８には、球排出口２７（図１参照）と連通する球案内通路１０６が連設されており、球案内通路１０６へ排出された賞球は、球排出口２７を経て、球皿部２４（図１参照）へ払い出されるようになっている。
【００３８】
次に、本発明の実施の形態に係るパチンコ機の外枠について説明する。
【００３９】
外枠１２を、金型によってアルミニウムで成形している。図４に示すように（なお、図４は外枠１２の表面側からの斜視図である）、外枠１２の下部には、保持板１０８を外枠１２と一体に設けており、外枠１２の前面から一段下がった位置に形成している。
【００４０】
この保持板１０８の前面には、下飾り部材１１０（図１参照）が取り付け可能となっている。保持板１０８の両端側には、係合穴１０８Ａを貫通させており、下飾り部材１１０の裏面に形成された係合ボス（図示省略）を係合穴１０８Ａに係合させ、下飾り部材１１０を保持板１０８に固定させる。
【００４１】
また、保持板１０８の上端側には、段部（図示省略）が形成されており、内枠１４を外枠１２に軸支させる過程で、内枠１４の過重を受けるための載置部１０７が設けられている。
【００４２】
このため、保持板１０８の裏面側には、この載置部１０７及び段部を支持するためのステイ１０９が複数設けられている。このステイ１０９の肉厚は、外枠１２の周壁の肉厚と略同一としており、外枠１２の成形後にひけが生じないようにしている。
【００４３】
また、外枠１２の開口部１２Ａの右側端部の上下には、外枠１２と一体に、ヒンジ部７０、７２を設けており、外枠１２の前面から張り出させている。このヒンジ部７０、７２には内枠１４（図３参照）に設けられたヒンジ板７８、８０（図３参照）が軸支され、外枠１２に対して内枠１４を開閉可能としている。
【００４４】
さらに、外枠１２の開口部１２Ａの左側端部には、外枠１２と一体に、内壁面に一対の係止部８４を設けている。この係止部８４には、内枠１４に設けられたフック８２（図１参照）が係止可能となっており、係止部８４にフック８２が係止された状態で、内枠１４が外枠１２に固定される。
【００４５】
次に、本発明の実施の形態に係るパチンコ機の要旨について説明する。
【００４６】
図５に示すように、外枠１２を成形する金型１１２には、外枠１２を離型させるためのエジェクターピン１１４を複数配設しており、金型１１２を型開きした後、可動側型板１１２Ａから外枠１２をバランス良く離型させるようにしている。
【００４７】
ここで、金型１１２の寿命を長くするため、エジェクターピン１１４はできるだけ太い方が良い。このため、外枠１２にはエジェクターピン１１４が面接可能な受け部１１６を別途設けている。
【００４８】
この受け部１１６は、略円柱状を成しており、外枠１２の角部及び係止部８４と連設させている。また、角部及び係止部８４以外にも、外枠１２をバランス良く離型させるため、複数の受け部１１６を設けている。
【００４９】
また、外枠１２の内壁面には、外枠１２の前面側に、補強リブ１１８が内壁面の全周に渡って立設している。この補強リブ１１８は、内枠１４を外枠１２へ閉止させるときの内枠１４のシリンダ錠２２等の移動軌跡上から退避させており、内枠１４を外枠１２へ閉止させるときに邪魔にならないようにしている。また、外枠１２の係止部８４は、係止部８４の周りを囲み、係止部８４を補強している。
【００５０】
ここで、補強リブ１１８と受け部１１６とは連設しており、補強リブ１１８が内枠１４のフック８２或いはシリンダ錠２２等の移動軌跡上から退避することによって、受け部１１６の長さも短くなっている。
【００５１】
また、補強リブ１１８は、内枠１４を外枠１２に固定させた状態で、外枠１２の内壁面と内枠１４の外壁面との間に生じる隙間を埋める高さとしており、図３に示すように、内枠１４を外枠１２に固定させた状態で、外枠１２の内壁面と内枠１４の外壁面との間に生じる隙間を塞いでいる。
【００５２】
次に、本発明の実施の形態に係るパチンコ機の作用について説明する。
【００５３】
図５に示すように、金型１１２に、金型１１２から外枠１２を離型させるためのエジェクターピン１１４を配設すると共に、エジェクターピン１１４が面接可能な略円筒状の受け部１１６を外枠１２に設けることで、受け部１１６が設けられた部分は肉厚となるため、受け部１１６近傍の強化を図ることができる。
【００５４】
このため、受け部１１６を外枠１２の角部及び係止部８４に設けることで、外枠１２の角部及び係止部８４を強化することができる。これにより、外枠１２の周壁を薄肉にしても、木枠と略同等の強度を保持することができ、外枠１２の軽量化を図ることができる。また、角部及び係止部８４以外にも、外枠１２の長手方向の内壁面に受け部１１６を設けることで、反りや撓みを防止することができ、寸法精度が高くなる。
【００５５】
このように、外枠１２を強化することで、一体成形される外枠１２の肉厚を薄肉にしても、外枠１２を補強するための補強部材を別途設ける必要はない。このため、枠組みするための組立て作業が不要となり、作業工数が低減されると共に、部品点数を削減することができる。従って、コストダウンを図ることができる。また、リサイクルにおいても、分解等の手間が要らないため、素材（金属）へのリサイクル性も良好になる。
【００５６】
また、外枠１２に複数の受け部１１６を設けることで、金型１１２からの離型時に外枠１２を押圧する面積が増大するため、外枠１２の離型性が良くなると共に、無理に離型させることによる変形等の恐れが無い。
【００５７】
さらに、外枠１２の内壁面の全周に渡って補強リブ１１８を立設させることで、外枠１２をさらに強化することができると共に、外枠１２の反りや撓みを防止することができ、寸法精度が高くなる。
【００５８】
また、受け部１１６と補強リブ１１８とを連設させることで、受け部１１６周りをさらに補強することができる。このため、外枠１２の角部をさらに強化することができるので、外枠１２の寿命が長くなる。特に、係止部８４には繰返し応力が掛かるため、受け部１１６及び補強リブ１１８によって係止部８４を補強することで、破損を防止することができる。
【００５９】
一方、補強リブ１１８を、内枠１４を外枠１２に固定させた状態で、外枠１２の内壁面と内枠１４の外壁面との間に生じる隙間を埋める高さとしている。これにより、内枠１４を外枠１２に固定させた状態で、外枠１２の内壁面と内枠１４の外壁面との間に生じる隙間Ｈが補強リブ１１８によって塞がれ、隙間Ｈからピアノ線などの不正具を侵入させても、補強リブ１１８に当接するため、機器内部への侵入が防げられ、不正行為を防止することができる。
【００６０】
なお、本形態では、外枠１２の角部及び係止部８４に受け部１１６を設けたが、少なくとも角部に受け部１１６を設けることで、外枠１２の強化を図ることができるため、必ずしも係止部８４に受け部１１６を連設させる必要はない。
【００６１】
また、補強リブ１１８を外枠１２の内壁面の全周に渡って立設させたが、必ずしもこれに限るものではなく、断続的であっても良い。また、必ずしも補強リブ１１８を、不正行為を防止するための壁とする必要はなく、内枠１４等に不正行為防止カバー等を別途設けても良い。
【００６２】
また、ここでは、外枠１２をアルミニウムで成形したが、これに限るものではなく、合成樹脂で成形しても良いのは勿論のことである。
【００６３】
以上、本発明を上述した特定の実施形態により詳細に説明したが、本発明はそれに限定されるものではなく、本発明の範囲内にて他の種々の実施形態が可能である。例えば、本形態では、一体皿構成としが、上皿と下皿を別々に備えたパチンコ機に適用することもできる。
【００６４】
【発明の効果】
本発明は、上記構成としたので、請求項１に記載の発明では、一体成形された外枠を補強するための補強部材を別途設ける必要はないので、枠組みするための組立て作業が不要となり、作業工数が低減されると共に、部品点数を削減することができる。従って、コストダウンを図ることができる。また、リサイクルにおいても、分解等の手間が要らないため、素材へのリサイクル性も良好になる。また、外枠に複数の受け部を設けることで、金型からの離型時に外枠を押圧する面積が増大するため、外枠の離型性が良くなると共に、無理に離型させることによる変形等の恐れが無い。
【００６５】
請求項２に記載の発明では、外枠をさらに強化することができる。また、外枠の内壁面に補強リブを立設させることで、外枠の反りや撓みを防止することができる。請求項３に記載の発明では、受け部周りを補強することができ、外枠の角部をさらに強化することができるため、外枠の寿命が長くなる。
【００６６】
請求項４に記載の発明では、受け部及び補強リブを係止部材に連設させることで、係止部材を強化させ、破損等を防止することができる。請求項５に記載の発明では、さらに外枠の強化を図ることができる。
【００６７】
請求項６に記載の発明では、内枠と外枠との間に生じる隙間は補強リブによって塞がれ、該隙間からピアノ線などの不正具を侵入させても、補強リブに当接するため、機器内部への侵入が防げられ、不正行為を防止することができる。
【図面の簡単な説明】
【図１】本発明の実施の形態に係るパチンコ機を示した斜視図である。
【図２】本発明の実施の形態に係るパチンコ機を示した正面図である。
【図３】本発明の実施の形態に係るパチンコ機を示した裏面図である。
【図４】本発明の実施の形態に係るパチンコ機を構成する外枠の裏面側の斜視図である。
【図５】本発明の実施の形態に係るパチンコ機を構成する外枠及び外枠の金型を示す断面図である。
【符号の説明】
１０   パチンコ機（遊技機）
１２   外枠
１４   内枠
１１６ 受け部
１１８ 補強リブ
【図１】
2004188068.tif 000003
【図２】
2004188068.tif 000004
【図３】
2004188068.tif 000005
【図４】
2004188068.tif 000006
【図５】
2004188068.tif 000007